【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
複数の育苗箱を所定位置に並ぶように移す搬送機構と、
並んだ育苗箱の背面部を育苗箱の並び方向と交差する方向に押し操作して台車の棚部に移す移し換え機構と、
並んだ育苗箱の間の背面部を押し操作することにより、並んだ育苗箱の間を前記移し換え機構により押し操作される方向に向かって開かせる押し部とを備えて、
前記押し部により並んだ育苗箱の間の開かれた部分に台車の支柱が入り込んで、前記移し換え機構により並んだ育苗箱が台車の支柱を通過して台車の棚部に移されるように構成してある育苗箱移し換え装置。
【請求項２】
並んだ育苗箱の間を前記移し換え機構により押し操作される方向に向かって開かせる押し位置に押し部を移動させる第１制御手段と、
前記押し部が押し位置側に移動してから、前記移し換え機構により並んだ育苗箱の背面部を押し操作させる第２制御手段と、
前記移し換え機構により並んだ育苗箱の背面部が押し操作されるのに伴って、前記押し部を押し位置から押し方向の反対方向に移動した戻り位置に移動させる第３制御手段とを備えてある請求項１に記載の育苗箱移し換え装置。
【請求項３】
前記移し換え機構に、前記押し部を備えてある請求項１又は２に記載の育苗箱移し換え装置。
【請求項４】
前記押し部により並んだ育苗箱の間が移し換え機構により押し操作される方向に向かって開かれると、前記並んだ育苗箱の間の開かれた部分を開いた状態に維持するガイド部を備えてある請求項１〜３のうちのいずれか一つに記載の育苗箱移し換え装置。
【手続補正２】
【補正対象書類名】明細書
【補正対象項目名】全文
【補正方法】変更
【補正の内容】
【発明の詳細な説明】
【発明の名称】育苗箱移し換え装置
【技術分野】
【０００１】
本発明は、育苗箱（空の育苗箱や播種済みの育苗箱等）を台車の棚部に移す育苗箱移し換え装置に関する。
【背景技術】
【０００２】
育苗箱移し換え装置として、例えば特許文献１に開示されているようなものがある。
特許文献１では、ベルトコンベア（特許文献１の第１図及び第２図の１１）により育苗箱が搬送されてきて、２列に並んだローラーコンベア（特許文献１の第１図及び第２図の１２）に育苗箱が送られて、育苗箱がローラコンベアに２列に並ぶような状態となる。２列の育苗箱の先頭の２個の育苗箱に対して横側に、棚入プッシャー（特許文献１の第１図及び第２図の１８）が配置されており、棚入プッシャーが先頭の２個の育苗箱を横外方（特許文献１の第１図の紙面上方）に押し操作して、先頭の２個の育苗箱が台車（特許文献１の第１図及び第２図の４５）の棚部に移される。
この場合、先頭の２個の育苗箱における棚入プッシャー側の育苗箱に棚入プッシャーが接当するのであり、棚入プッシャーの押し方向（特許文献１の第１図の紙面上下方向）に並ぶ２個の育苗箱が、棚入プッシャーにより押し操作されて台車の棚部に移される。
【０００３】
【特許文献１】特公平７−１１４６０８号公報（第１図及び第２図）
【発明の開示】
【発明が解決しようとする課題】
【０００４】
複数の育苗箱を一度に台車の棚部に移す育苗箱移し換え装置として、特許文献１では棚入プッシャーの押し方向に並ぶ２個の育苗箱が、棚入プッシャーにより押し操作されて台車の棚部に移される。一般に、台車の１段の棚部に４個の育苗箱が載置可能なので、特許文献１のように、棚入プッシャーの押し方向に並ぶ２個の育苗箱が台車の棚部に移されると、育苗箱の横幅の分だけ台車の全体を移動させる必要があり、次に棚入プッシャーの押し方向に並ぶ２個の育苗箱が押し操作されて台車の棚部の残りの部分に移される。
【０００５】
これにより、特許文献１では台車の１段の棚部の全ての部分に育苗箱を載置する間に、育苗箱を移動させる必要があるので、近年では例えば図１に示すように、所定位置に並んだ育苗箱を、育苗箱の並び方向（例えば図１の紙面左右方向）と交差する方向（例えば図１の紙面上下方向）に押し操作して台車の棚部に移す育苗箱移し換え装置が提案されている。
本発明は、育苗箱移し換え装置において、所定位置に並んだ育苗箱の背面部を育苗箱の並び方向と交差する方向に押し操作して、並んだ育苗箱を台車の棚部に移すように構成する場合、並んだ育苗箱が適切に台車の棚部に移されるように構成することを目的としている。
【課題を解決するための手段】
【０００６】
（構成）
本発明の第１特徴は、育苗箱移し換え装置において次のように構成することにある。
複数の育苗箱を所定位置に並ぶように移す搬送機構と、並んだ育苗箱の背面部を育苗箱の並び方向と交差する方向に押し操作して台車の棚部に移す移し換え機構と、並んだ育苗箱の間の背面部を押し操作することにより並んだ育苗箱の間を移し換え機構により押し操作される方向に向かって開かせる押し部とを備えて、押し部により並んだ育苗箱の間の開かれた部分に台車の支柱が入り込んで、移し換え機構により並んだ育苗箱が台車の支柱を通過して台車の棚部に移されるように構成する。
本発明の第２特徴は、本発明の第１特徴の育苗箱移し換え装置において次のように構成することにある。
並んだ育苗箱の間を移し換え機構により押し操作される方向に向かって開かせる押し位置に押し部を移動させる第１制御手段と、押し部が押し位置側に移動してから移し換え機構により並んだ育苗箱の背面部を押し操作させる第２制御手段と、移し換え機構により並んだ育苗箱の背面部が押し操作されるのに伴って押し部を押し位置から押し方向の反対方向に移動した戻り位置に移動させる第３制御手段とを備える。
本発明の第３特徴は、本発明の第１又は第２特徴の育苗箱移し換え装置において次のように構成することにある。
移し換え機構に押し部を備える。
本発明の第４特徴は、本発明の第１〜第３特徴のうちのいずれか一つの育苗箱移し換え装置において次のように構成することにある。
押し部により並んだ育苗箱の間が移し換え機構により押し操作される方向に向かって開かれると並んだ育苗箱の間の開かれた部分を開いた状態に維持するガイド部を備える。
【０００７】
（作用）
［Ｉ］
台車では一般に、棚部を支持する支柱（図３及び図８の５ｃ参照）が台車の４角に備えられているのに加えて、台車の横辺部の途中部分にも支柱（図３及び図８の５ｂ参照）が備えられている。この場合に、所定位置に並んだ育苗箱の背面部が、移し換え機構により育苗箱の並び方向と交差する方向に押し操作されて台車の棚部に移される際に、並んだ育苗箱の間を台車の支柱（前述のように台車の横辺部の途中部分の支柱）が通過するように構成する必要がある。
【０００８】
本発明の第１及び第２特徴によると、所定位置に育苗箱が並んだ状態（図１１参照）において、例えば図１２に示すように、押し部２５が押し位置に移動して（図１２の紙面下方）、並んだ育苗箱１の間が移し換え機構２２，２３により押し操作される方向に向かって開かれる。この後、例えば図１３，１４，１５に示すように、並んだ育苗箱１の背面部が移し換え機構２２，２３により育苗箱１の並び方向と交差する方向（図１３の紙面下方）に押し操作されるのであり、並んだ育苗箱１の間が移し換え機構２２，２３により押し操作される方向に向かって開かれている点により、並んだ育苗箱１の間の開かれた部分に台車５の支柱５ｂが入り込み、並んだ育苗箱１が台車５の支柱５ｂを無理なく通過して台車５の棚部５ｅに移される。
【０００９】
［ＩＩ］
前項［Ｉ］に記載のように（図１２参照）、並んだ育苗箱１の間が移し換え機構２２，２３により押し操作される方向に向かって開かれると、並んだ育苗箱１の背面部を押し操作して台車５の棚部５に移す方向（図１２の紙面下方）に対して、並んだ育苗箱１が少し傾斜したような状態となる。
この後に、並んだ育苗箱１の背面部が移し換え機構２２，２３により育苗箱１の並び方向と交差する方向（図１２の紙面下方）に押し操作されると、前項［Ｉ］に記載の状態（押し部２５が押し位置に移動し、並んだ育苗箱１の間が移し換え機構２２，２３により押し操作される方向に向かって開かれる状態）とは逆の状態が生じて、並んだ育苗箱１の間を支点として並んだ育苗箱１が前項の状態とは逆方向に回転（傾斜）するような状態となり、並んだ育苗箱１の間の開かれた部分が閉じようとする状態となることがある。
【００１０】
本発明の第３特徴によると、移し換え機構に押し部を備えており、押し部が押し位置側に移動してから、移し換え機構により並んだ育苗箱の背面部を押し操作するように構成すれば、例えば図１２，１３，１４に示すように、並んだ育苗箱１の背面部が、移し換え機構２２，２３により育苗箱１の並び方向と交差する方向（図１３及び図１４の紙面下方）に押し操作されるのに伴って、移し換え機構２２，２３と一緒に押し部２５（押し位置側）が移動するので、並んだ育苗箱１の間を支点として並んだ育苗箱１が前項［Ｉ］に記載の状態とは逆方向に回転（傾斜）しようとしても、押し部２５により並んだ育苗箱１の間の背面部が止められて回転（傾斜）が止められる。
【００１１】
この後、例えば図１３から図１４に示すように、移し換え機構２２，２３により並んだ育苗箱１の背面部が押し操作されるのに伴って、押し部２５が戻り位置に移動すれば、並んだ育苗箱１の間の開かれた部分が維持されながら、並んだ育苗箱１が移し換え機構２２，２３の押し方向に沿う状態に戻るようになる。
【００１２】
例えば図１４及び図１５に示すように、並んだ育苗箱１の間の開かれた部分が維持されながら、並んだ育苗箱１が移し換え機構２２，２３の押し方向に沿う状態に戻ることにより、並んだ育苗箱１の間の開かれた部分に台車５の支柱５ｂが入り込み、並んだ育苗箱１が台車５の支柱５ｂを無理なく通過するのであり、並んだ育苗箱１が少し傾斜したような状態（図１２参照）となっていることにより、並んだ育苗箱１が台車５の支柱５ｃに引っ掛かると言うような状態は生じない。
【００１３】
（発明の効果）
本発明の第１，２，３特徴によると、育苗箱移し換え装置において、所定位置に並んだ育苗箱の背面部を育苗箱の並び方向と交差する方向に押し操作して、並んだ育苗箱を台車の棚部に移すように構成する場合、台車の横辺部の途中部分に支柱が備えられていても、並んだ育苗箱が台車の棚部の支柱を無理なく通過して台車の棚部に移されるように構成することができる点、及び、並んだ育苗箱の間の開かれた部分が維持されながら、並んだ育苗箱が移し換え機構の押し方向に沿う状態に戻り、並んだ育苗箱が台車の支柱に引っ掛かると言うような状態を伴うことがない点により、育苗箱移し換え装置の作動の確実性を向上させることができた。
【発明を実施するための最良の形態】
【００１４】
［１］
図１は育苗箱処理施設の全体を示しており、搬送コンベア２、整列コンベア３（搬送機構に相当）、昇降自在に支持された育苗箱移し換え装置４、台車５を案内する案内レール６等を備えて、育苗箱処理施設の全体が構成されている。育苗箱処理施設に隣接する播種施設（図示せず）において、空の育苗箱１に床土の供給、灌水、播種及び覆土の供給が行われ、播種の終了した育苗箱１が搬送コンベア２により図１の紙面右方から整列コンベア３に搬送されてくる。
【００１５】
図１，２，４に示すように、整列コンベア３は複数の幅広の回転ローラー３ａに、幅広の搬送ベルト３ｂが巻回されて構成されており、回転ローラー３ａにより搬送ベルト３ｂが図１の紙面左方に回転駆動される。整列コンベア３の図１の紙面上側部の固定部にプッシャー７が固定されており、育苗箱１の２個分の長さを持つ横長の押し部８がプッシャー７に固定されている。
【００１６】
図１，２，４に示すように、整列コンベア３の図１の紙面左側部の固定部に、横長の板状の整列ストッパー９が横軸芯Ｐ１周りに上下に揺動自在に支持され、整列コンベア３における図１の紙面上及び下側部の固定部に亘って架橋部材１０が固定されており、整列ストッパー９と架橋部材１０とに亘って操作シリンダ１１が接続されている。これにより、操作シリンダ１１によって整列ストッパー９が下降位置及び上昇位置に操作される。
【００１７】
［２］
次に、育苗箱移し換え装置４について説明する。
図１，２，３，５に示すように、２本の支柱１２が所定間隔（育苗箱１の２個分の長さよりも少し広い）を置いて床部に固定されており、２個の支持部材１３がローラー１３ａを介して支柱１２に沿って移動自在に支持されて、２個の支持部材１３に亘って支持フレーム１４が連結されている。支柱１２の上部にモータ１５及びモータ１５により回転駆動されるスプロケット１６が備えられ、支柱１２の下部にスプロケット１６が備えられており、上部及び下部のスプロケット１６に亘ってチェーン１８が巻回されている。支持部材１３がチェーン１８に連結されており、モータ１５により上部のスプロケット１６が回転駆動されることにより、支持部材１３が支柱１２に沿って昇降駆動される。
【００１８】
図１，２，３，５に示すように、支持部材１３に枠状の支持フレーム１９が固定されており、複数の幅広の回転ローラー１７及び回転ローラー１７を回転駆動するモータ（図示せず）が支持フレーム１９に支持され、幅広の搬送ベルト２０が回転ローラー１７に巻回されて、回転ローラー１７により搬送ベルト２０が図１の紙面左方に回転駆動される。支持フレーム２１が支持フレーム１４に固定され図５の紙面左方（図１の紙面上方）に片持ち状に延出されており、支持フレーム２１の下面にレール２１ａが固定されている。支持フレーム２１のレール２１ａに沿って移動駆動される移動部２２（移し換え機構に相当）が備えられて、移動部２２から図１及び図７の紙面右及び左方に二股状に押し部２３（移し換え機構に相当）が延出されている。
【００１９】
図５及び図７に示すように、移動部２２の下部にプッシャー２４が固定され、プッシャー２４の操作ロッドに固定された幅狭の押し部２５が、二股状の押し部２３の間に配置されており、ピン部材２５ａが押し部２５の右及び左側部に固定されて下方に延出されている。図７及び図８に示すように、支持部材１３の下部に亘って幅広の案内板２６が固定されており、平面視でクサビ状の一対のガイド部２７が案内板２６の中央部に固定されて、平面視で斜めの平板状のガイド部３１が案内板２６の右及び左側部に固定されている。この場合、図５，６，７に示すように、ガイド部２７に対してプッシャー２４及び押し部２５が上側に位置しており、ガイド部２７が押し部２５のピン部材２５ａの間に位置している。
【００２０】
図１及び図３に示すように、図１の紙面上側部の支持フレーム１９と支持フレーム１４とに亘って、横長の板状の整列ストッパー２８が横軸芯Ｐ２周りに上下に揺動自在に支持されており、図１の紙面上側部の支持フレーム１９と支持フレーム１４とに亘って架橋部材２９が固定されて、整列ストッパー２８と架橋部材２９とに亘って操作シリンダ３０が接続されている。これにより、操作シリンダ３０によって整列ストッパー２８が下降位置及び上昇位置に操作される。
【００２１】
［３］
次に、台車５について説明する。
図２，３，８に示すように、台車５は枠状に構成された底部５ａ、底部５ａの横辺部の中央に固定された２本の支柱５ｂ、底部５ａの一方及び他方の端部の４角に固定された４本の支柱５ｃ、支柱５ｂ，５ｃの上部に亘って連結された上部フレーム５ｄ、支柱５ｂ，５ｃに所定の上下間隔（育苗箱１の上下幅よりも充分に大きな間隔）で配置された棚部５ｅ、底部５ａに備えられた移動用の車輪５ｆ等を備えて構成されている。台車５において同じ高さの２個の棚部５ｅに２個の育苗箱１が載置可能であり、同じ高さの４個の棚部５ｅに４個の育苗箱１が載置可能である。
【００２２】
［４］
次に、育苗箱処理施設の全体の流れについて説明する。
図８に示すように、空の台車５が案内レール６に乗せられており、ガイド部２７の後方に台車５の支柱５ｂが位置し、ガイド部３１の後方に台車５の支柱５ｃが位置するように台車５が配置されている。播種の終了した育苗箱１が１個ずつ搬送コンベア２により図８の紙面右方から整列コンベア３に搬送されてきて、整列コンベア３の搬送ベルト３ｂが図８の紙面左方に回転駆動されることにより、整列コンベア３の搬送ベルト３ｂに乗った育苗箱１が図８の紙面左方に搬送されるのであり、下降位置に操作された整列ストッパー９の図８の紙面上側部に育苗箱１が接当することにより、育苗箱１が止まる（整列コンベア３の搬送ベルト３ｂと育苗箱１との間にスリップが発生する）。
【００２３】
図８から図９に示すように、次の育苗箱１が搬送コンベア２から整列コンベア３に搬送され、整列コンベア３の搬送ベルト３ｂに乗って図８の紙面左方に搬送されると、整列ストッパー９（下降位置）の図９の紙面上側部に接当して止められた育苗箱１に、次の育苗箱１が接当して止まるのであり、整列ストッパー９（下降位置）の図９の紙面上側部に２個の育苗箱１が並んで止められた状態となる。このような状態になると、図１０に示すように、プッシャー７が突出作動して押し部８により、２個の並んだ育苗箱１が整列ストッパー９（下降位置）に沿って図１０の紙面下方に押し操作され、２個の並んだ育苗箱１が整列ストッパー９（下降位置）の図１０の紙面下側部に接当して止められた状態となるのであり、この後にプッシャー７が収縮作動して押し部８が図８に示す元の位置に戻る。
【００２４】
図８に示すように、プッシャー７が収縮作動して押し部８が元の位置に戻ると、図８及び図９と同様に、次の育苗箱１が搬送コンベア２から整列コンベア３に搬送され、整列コンベア３の搬送ベルト３ｂに乗って図８及び図９の紙面左方に搬送されるのであり、整列ストッパー９（下降位置）の図８及び図９の紙面上側部に２個の育苗箱１が並んで止められた状態となる。これにより、２個の並んだ育苗箱１（２組の合計４個）が整列ストッパー９（下降位置）に接当して止められた状態となる。
【００２５】
図１１に示すように、育苗箱移し換え装置４が整列コンベア３の位置に下降駆動されて停止しており、前述のように２個の並んだ育苗箱１が整列ストッパー９（下降位置）に２組（合計４個）接当して止められた状態になると、整列ストッパー９が上昇位置に操作されて、搬送ベルト２０が図１１の紙面左方に回転駆動される。これにより、２個の並んだ育苗箱１（２組の合計４個）が整列コンベア３から整列ストッパー９（上昇位置）の下側を通って搬送ベルト２０に搬送されるのであり、下降位置に操作された整列ストッパー２８に２個の並んだ育苗箱１（２組の合計４個）が接当して止められると、搬送ベルト２０が停止する（複数の育苗箱１を所定位置に並ぶように移した状態に相当）。
【００２６】
図１１に示すように、整列ストッパー２８（下降位置）に２個の並んだ育苗箱１（２組の合計４個）が接当して止められて、搬送ベルト２０が停止すると、育苗箱移し換え装置４が台車５の最下段の棚部５ｅの位置に下降駆動されて停止する。この間、図１２に示すように、整列ストッパー２８が上昇位置に操作されて、プッシャー２４により押し部２５が戻り位置から押し位置に移動駆動され、押し部２５のピン部材２５ａにより、２個の並んだ育苗箱１（２組の合計４個）の間の背面部が図１２の紙面下方に押し操作される。
【００２７】
これにより、図１２に示すように、並んだ育苗箱１（２組の合計４個）の間から離れた部分を支点として、並んだ育苗箱１（２組の合計４個）が回転（傾斜）するような状態となって、並んだ育苗箱１（２組の合計４個）が平面視（図１２参照）でＶ字状となり、並んだ育苗箱１（２組の合計４個）の背面部とは反対側の間が図１２の紙面下方に向かって開かれた状態となる（並んだ育苗箱１の間を移動部２２及び押し部２３（移し換え機構に相当）により押し操作される方向に向かって開かせる状態に相当）（以上、第１制御手段に相当）。
【００２８】
図１２から図１３に示すように、移動部２２が支持フレーム２１のレール２１ａに沿って、図５の紙面右方（図１３の紙面下方）に移動駆動されるのであり、押し部２３が並んだ育苗箱１（２組の合計４個）の背面部を図１３の紙面下方に押し操作する（並んだ育苗箱１の背面部を育苗箱１の並び方向と交差する方向に押し操作する状態に相当）。この場合、押し部２３が並んだ育苗箱１（２組の合計４個）の背面部を図１３  の紙面下方に押し操作するのに伴って、押し部２３と一緒にプッシャー２４及び押し部２５（押し位置）が図１３の紙面下方に移動するのであり、並んだ育苗箱１（２組の合計４個）の間を支点として並んだ育苗箱１（２組の合計４個）が前述とは逆方向に回転（傾斜）しようとしても、押し部２５のピン部材２５ａにより並んだ育苗箱１（２組の合計４個）の間の背面部が止められて回転（傾斜）が止められる（以上、第２制御手段に相当）。
【００２９】
この後に、図１２，１３，１４に示すように、押し部２３が並んだ育苗箱１（２組の合計４個）の背面部を図１４の紙面下方に押し操作するのに伴って、押し部２５が押し位置から戻り位置に移動するので、並んだ育苗箱１（２組の合計４個）の間の開かれた部分が維持されながら、並んだ育苗箱１（２組の合計４個）が押し部２３に沿う状態に戻るようになるのであり、並んだ育苗箱１（２組の合計４個）の間の開かれた部分が維持されながら、並んだ育苗箱１（２組の合計４個）が台車５の棚部５ｅと平行な状態に戻る（並んだ育苗箱１（２組の合計４個）が移し換え機構２２，２３の押し方向に沿う状態に戻る状態に相当）（以上、第３制御手段に相当）。
【００３０】
図１４から図１５に示すように、移動部２２が支持フレーム２１のレール２１ａに沿って図５の紙面右方（図１５の紙面下方）に移動駆動されて、並んだ育苗箱１（２組の合計４個）が図１５の紙面下方に押し操作されると、並んだ育苗箱１（２組の合計４個）の背面部とは反対側の間に、ガイド部２７及び台車５の支柱５ｂが入り込む。これにより、並んだ育苗箱１（２組の合計４個）の背面部とは反対側の間が図１５の紙面下方に向かって開かれた状態が、ガイド部２７によって維持されながら、２個の並んだ育苗箱１（２組の合計４個）が台車５の最下段の棚部５ｅに移されるのであり、並んだ育苗箱１（２組の合計４個）の間から離れた端部が、ガイド部３１によって案内されながら台車５の最下段の棚部５ｅに移される。
【００３１】
この場合、図６及び図７に示すように、ガイド部２７に対してプッシャー２４及び押し部２５が上側に位置しており、ガイド部２７が押し部２５のピン部材２５ａの間に位置しているので、プッシャー２４及び押し部２５がガイド部２７の上側を通過し、押し部２５のピン部材２５ａがガイド部２７の右及び左の横側を通過する。
【００３２】
この後、図１５から図８に示すように、移動部２２が支持フレーム２１のレール２１ａに沿って図５の紙面左方（図８の紙面上方）に移動駆動されて、押し部２３が元の位置に戻り、整列ストッパー２８が下降位置に操作されるのであり、育苗箱移し換え装置４が整列コンベア３の位置に上昇駆動されて停止する。図１２から図１５に示す間、整列コンベア３において前述の図８から図１０に示す操作が行われており、前述のように育苗箱移し換え装置４が整列コンベア３の位置に上昇駆動されて停止すると、図１１に示すように、２個の並んだ育苗箱１（２組の合計４個）が整列コンベア３から整列ストッパー９の下側を通って搬送ベルト２０に搬送される。
【００３３】
この後、育苗箱移し換え装置４が台車５の最下段の棚部５ｅから１段上側の棚部５ｅの位置に下降駆動されて停止し、図１２から図１５に示す操作が行われて、２個の並んだ育苗箱１（２組の合計４個）が台車５の最下段の棚部５ｅから１段上側の棚部５ｅに移される。このようにして以上の操作が繰り返されることにより、２個の並んだ育苗箱１（２組の合計４個）が台車５の最下段の棚部５ｅから順番に上側の棚部５ｅに移される。
【００３４】
［発明の実施の別形態］
前述の［発明を実施するための最良の形態］では、図１２及び図１３に示すように、プッシャー２４により押し部２５が戻り位置から押し位置に移動駆動されてから、移動部２２が支持フレーム２１のレール２１ａに沿って、図５の紙面右方（図１３の紙面下方）に移動駆動されるように構成しているが、プッシャー２４により押し部２５が戻り位置から移動駆動され始めて押し位置に達する前に、移動部２２が支持フレーム２１のレール２１ａに沿って、図５の紙面右方（図１３の紙面下方）に移動駆動され始めるように構成してもよい。
【００３５】
前述の［発明を実施するための最良の形態］では、図１１に示すように、２個の並んだ育苗箱１（２組の合計４個）が搬送ベルト２０に搬送されるように構成しているが、２個の並んだ育苗箱１（１組の合計２個）が搬送ベルト２０に搬送されるように構成してもよい。本発明は、空の育苗箱１に対する育苗箱処理施設にも適用できる。
【図面の簡単な説明】
【００３６】
【図１】育苗箱処理施設の全体平面図
【図２】育苗箱処理施設の全体正面図
【図３】育苗箱処理施設の全体側面図
【図４】整列コンベアの側面図
【図５】育苗箱移し換え装置の正面図
【図６】並んだ育苗箱（２組の合計４個）が台車の棚部に移される状態での移動部、押し部及びプッシャー、ガイド部の付近の側面図
【図７】移動部、押し部及びプッシャー、ガイド部、案内板の付近の斜視図
【図８】播種の終了した育苗箱が搬送コンベアから整列コンベアに搬送されてきた状態を示す育苗箱処理施設の全体平面図
【図９】図８の次に整列コンベアにおいて整列ストッパー（下降位置）の紙面上側部に２個の育苗箱が並んで止められた状態を示す育苗箱処理施設の全体平面図
【図１０】図９の次に整列コンベアにおいて２個の並んだ育苗箱が整列ストッパー（下降位置）に沿って紙面下方に押し操作された状態を示す育苗箱処理施設の全体平面図
【図１１】図１０の次に２個の並んだ育苗箱（２組の合計４個）が整列コンベアから整列ストッパー（上昇位置）の下側を通って搬送ベルトに搬送された状態を示す育苗箱処理施設の全体平面図
【図１２】図１１の次に並んだ育苗箱（２組の合計４個）の背面部とは反対側の間が紙面下方に向かって開かれた状態を示す育苗箱処理施設の全体平面図
【図１３】図１２の次に並んだ育苗箱（２組の合計４個）の背面部が紙面下方に押し操作され始めた状態を示す育苗箱処理施設の全体平面図
【図１４】図１３の次に並んだ育苗箱（２組の合計４個）の間の開かれた部分が維持されながら、並んだ育苗箱（２組の合計４個）が押し部に沿う状態に戻った状態を示す育苗箱処理施設の全体平面図
【図１５】図１４の次に並んだ育苗箱（２組の合計４個）が台車の棚部に移された状態を示す育苗箱処理施設の全体平面図
【符号の説明】
【００３７】
１          育苗箱
３          搬送機構
５          台車
５ｂ        台車の支柱
５ｅ        台車の棚部
２２，２３  移し換え機構
２５        押し部
２７        ガイド部